(57)【要約】【課題】ハーフリム型の眼鏡を使い易い多焦点枠にする事。【解決手段】対のレンズ各々の上辺にブリッジで連結された固い縁を有し、該対のレンズの下辺を高張力糸によって保持されるハーフリム型の眼鏡（１０）に於いて、両下端部に鼻パッド（Ｐ）が取り付け可能にされた門型のパッド足連結部材（３０）が用意され、そして該両パッド足中間部には前記高張力糸（５０）をその中に通すパイプ状の摺動部材（６０）がそれぞれ設けられ、そして、前記門型のパッド足連結部材がレンズと張力糸の間の緊締状態の中で上下摺動可能なようにされることにより視点位置が変更可能なようにしたハーフリム型の眼鏡の提供。【選択図】図２
2006189524.tif 000002
【特許請求の範囲】
【請求項１】
対のレンズ各々の上辺にブリッジで連結された固い縁を有し、該対のレンズの下辺を高張力糸によって保持されるハーフリム型の眼鏡に於いて、両下端部に鼻パッドが取り付け可能にされた門型のパッド足連結部材が用意され、そして該両パッド足中間部には前記高張力糸をその中に通すパイプ状の摺動部材がそれぞれ設けられ、そして、前記門型のパッド足連結部材がレンズと高張力糸の間の緊締状態の中で上下摺動可能なようにされることにより視点位置が変更可能なようにされた事を特徴とする、ハーフリム型の眼鏡。
【請求項２】
前記レンズが、二重焦点レンズ、多焦点レンズ、下方に補助レンズを配された処方レンズの内の一つであることを特徴とする、請求項１に記載のハーフリム型の眼鏡。
【発明の詳細な説明】
【技術分野】
【０００１】  本発明は、焦点変更可能なハーフリム型の眼鏡に関する。
【背景技術】
【０００２】  従来、フルリム型の眼鏡の多焦点枠としては、実公平０３−２８９２号が提案されている。しかし最近のユーザーの好みの多様化に伴いハーフリム型の眼鏡や、リムレス型の眼鏡も好まれてきており、それに対応する多焦点枠が少なかった。【０００３】
【特許文献１】実公平０３−２８９２号
【発明の開示】
【発明が解決しようとする課題】  上記実公平０３−２８９２号のような構造のものをハーフリム型の眼鏡に用いようとすると、ハーフリムのブリッジ近辺の内側リムを下方に長く延ばさなければならず、デザイン的にも良くなく、且つ重くなってしまいハーフリム型眼鏡の特徴である軽さやスッキリした感じが失われてしまう事となる。又、上記実公平０３−２８９２号に記載された如く、保持片の内側に合成樹脂層を設けて摺動性を良くしなければならず手間が掛かった。又、摺動片の足部には上下動作のストッパーとなる突起を二箇所設けなければならず、眼鏡を掛けたままで指先だけで操作して上下させて眼鏡の視点位置調整を行う事が難しかった。
【課題を解決するための手段】
【０００４】  そこで本発明に於いては、上記課題を解決するために、対のレンズ各々の上辺にブリッジで連結された固い縁を有し、該対のレンズの下辺を高張力糸によって保持されるハーフリム型の眼鏡に於いて、両下端部に鼻パッドが取り付け可能にされた門型のパッド足連結部材が用意され、そして該両パッド足中間部には前記高張力糸をその中に通すパイプ状の摺動部材がそれぞれ設けられ、そして、前記門型のパッド足連結部材がレンズと高張力糸の間の緊締状態の中で上下摺動可能なようにされることにより視点位置が変更可能なようにされた事を特徴とする、ハーフリム型の眼鏡を提供することにより上記課題の解決を図った。
【発明の効果】
【０００５】  上記手段を採用することにより、ハーフリム型眼鏡の特徴である軽さやスッキリしたデザインを損なうことなく、且つ摺動性も良く、眼鏡を掛けたままで指先だけでワンタッチで上下の操作が可能であり、そして、高張力糸とレンズとの間の緊締状態により、近視視野状態に眼鏡を保持しておいても眼鏡がずり落ちることはない。又、構造が簡単で、安価に提供できる。
【発明を実施するための最良の形態】
【０００６】  対の二重焦点、又は多焦点レンズ各々の上辺にブリッジで連結された固い縁を有し、該対のレンズの下辺を高張力糸によって保持されるハーフリム型の眼鏡に於いて、両下端部に鼻パッドが取り付け可能にされた門型のパッド足連結部材が用意され、そして該両パッド足中間部には前記高張力糸をその中に通すパイプ状の摺動部材がそれぞれ設けられ、そして、前記門型のパッド足連結部材がレンズと高張力糸の間の緊締状態の中で上下摺動可能なようにされることにより視点位置が変更可能なようにされた事を特徴とする、ハーフリム型の眼鏡。
【実施例】
【０００７】以下図によって本発明を詳しく説明すると、図１は本発明のハーフリム型の眼鏡１０の実施例の正面図であり、図２はその要部拡大図であり、通常眼鏡を掛けている状態を表している。対のレンズ各々２０，２０の上辺にブリッジ４０で連結された固い縁１１，１１を有し、該対のレンズの下辺を高張力糸５０によって保持されるハーフリム型の眼鏡１０に於いて、両下端部に鼻パッドＰが取り付け可能にされた門型のパッド足連結部材３０が用意され、そして該両パッド足中間部には前記高張力糸をその中に通すパイプ状の摺動部材６０，６０がそれぞれ設けられ、そして、前記門型のパッド足連結部材がレンズと高張力糸の間の緊締状態の中で上下摺動可能なようにされている。そして、レンズ上部２１，２１の遠視野部分で対象物を見る状態で、パッド足連結部材３０は上げられた状態になっており、重力による眼鏡の重さで安定的に鼻梁上に眼鏡が保持されている。【０００８】  図３及び図４は、レンズ２０の下部近視野部分２２，２２で対象物を見て手元で作業や読書をする場合の正面図及びその要部拡大図であり、この場合通常の遠視野部分を使用して眼鏡を掛けている状態、すなわち上記図１または図２の状態から、指でパッド足連結部材３０のワタリ部上部３１とブリッジ部４０の下部４１を上下から摘む様にすればレンズが上がり直ぐに近視野状態で使用可能となる。そしてその近視野状態は直ぐにでも元に戻りそうであるが、レンズ２０と高張力糸５０の間の緊締状態によりパイプ状の摺動部材６０，６０がしっかりと保持された状態になっている。そして、又、通常の遠視野状態に戻す時は、ハーフリム眼鏡の上部リム１２を指で下方に押えれば簡単にレンズは下がり元に戻す事が可能となる。これは最近の高張力糸が樹脂で出来ている為に非常に滑りが良く、例えパイプ状の摺動部材が金属製であってもひっかかる事は無い。【０００９】  又、本発明の場合、両レンズ２０，２０の内側部分２３，２３は略ハの字型か、或いは真直ぐ垂直になるように、０．５ｃｍから２ｃｍの長さ加工されていることが好ましい。【００１０】  図５、図６は側部からの要部拡大図であり、遠視野状態でこの状態から前述したように指（図示無し）で摘まむように近視野状態に持って行くと、パッド足連結部材３０の上部屈曲部３２がブリッジ４０の上部に当たり下方に行き過ぎるのを防止するストッパーとなり、逆に近視野状態から眼鏡の上部リムを指で押えて遠視野状態にする時は、内側リムの下端部１３にパイプ状の摺動部材６０，６０の上部が当接し上がり過ぎるのを防止するストッパーとなる。又、図４のレンズ２０の真直ぐ加工された部分２３，２３の下のカーブ部分２４，２４も下に行き過ぎるのを防止するストッパーの役目をする事も出来る。【００１１】  又、図５に記載された上下摺動距離ｍは、上記パッド足連結部材３０の屈曲部３２の曲げる位置と、レンズ２０の真直ぐ加工される部分２３を調整する事により装着する個々の人に合わせる事が可能となる。【００１２】  又、組立も、パイプ状の摺動部材に高張力糸を通すだけで良く、極めて簡単に安価に出来、操作も非常に簡単で、且つデザイン的にもスッキリとしてハーフリム型の眼鏡の良さを失う事無く多焦点枠として使用��能となった。
【図面の簡単な説明】
【００１３】
【図１】本発明の実施例の正面図
【図２】図１の要部拡大図
【図３】本発明の実施例の正面図
【図４】図３の要部拡大図
【図５】本発明の側部から見た拡大図
【図６】本発明の側部から見た拡大図
【符号の説明】
【００１４】１０  本発明のハーフリム型の眼鏡
１１  リム
１２  リム上部部分
１３  リムブリッジ側端部
２０  レンズ
２１  レンズ遠視野部分
２２  レンズ近視野部分
２３  レンズ垂直加工部分
２４  レンズカーブ部分
３０  パッド足連結部材
３１  パッド足連結部材ワタリ部
３２  パッド足連結部材屈曲部
４０  ブリッジ
４１  ブリッジ下方部
５０  高張力糸
６０  パイプ状摺動部材
Ｐ    鼻パッド
ｍ    摺動距離
【図１】
2006189524.tif 000003
【図２】
2006189524.tif 000004
【図３】
2006189524.tif 000005
【図４】
2006189524.tif 000006
【図５】
2006189524.tif 000007
【図６】
2006189524.tif 000008